(57)【要約】【課題】便器装置を取り付ける環境の給水源の圧力が所定の範囲外であっても洗浄水を無駄に使用することがなく、便器装置を破損せず安全に使用できる便器装置を提供する。【解決手段】給水源の圧力を利用して便器を洗浄するための洗浄水が供給される便器装置において、便器への洗浄水の供給経路の洗浄水の流動状態を検知する検出手段と、前記検出手段の検出出力値が所定よりも高い値を検出した場合、洗浄水の流動状態が異常であることを報知する報知手段とを備えた。【選択図】　図１
2004027530.tif 000002
【特許請求の範囲】
【請求項１】
給水源の圧力を利用して便器を洗浄するための洗浄水が供給される便器装置において、便器への洗浄水の供給経路の洗浄水の流動状態を検知する検出手段と、前記検出手段の検出出力値が所定よりも高い値を検出した場合、洗浄水の流動状態が異常であることを報知する報知手段とを備えたことを特徴とする便器装置。
【請求項２】
給水源の圧力を利用して便器を洗浄するための洗浄水が供給される便器装置において、便器への洗浄水の供給経路の洗浄水の流動状態を検知する検出手段と、前記検出手段の検出出力値に基づいて前記便器装置を制御する制御部と、前記便器装置の制御動作を記憶する記憶手段とを備えたことを特徴とする便器装置。
【請求項３】
請求項２記載の便器装置において、前記検出手段の検出出力値が所定の範囲外を検出した場合、前記記憶手段に記憶した制御動作に基づいて前記制御部により制御することを特徴とする便器装置。
【請求項４】
請求項２記載の便器装置において、前記検出手段の検出出力値が所定の範囲外を検出した場合、前記記憶手段に予め記憶した制御動作に基づいて前記制御部により制御することを特徴とする便器装置。
【請求項５】
請求項２記載の便器装置において、前記検出手段の検出出力値が所定の範囲外を検出した場合、洗浄を停止することを特徴とする便器装置。
【請求項６】
請求項２乃至５記載の便器装置において、前記検出手段の検出出力値が所定よりも高い値を検出した場合、洗浄水の流動状態が異常であることを報知する報知手段を備えたことを特徴とする便器装置。
【発明の詳細な説明】
【０００１】
【発明の属する技術分野】
本発明は、給水源の圧力を利用して便器を洗浄するための洗浄水が供給される便器装置に関する。
【０００２】
【従来の技術】
従来この種の便器装置として、給水管の給水源の圧力を圧力センサで検出し、所定の圧力以下のときは、断水状態であることを報知するものが、特開平３−９０７４５号公報に開示されている。
【０００３】
【発明が解決しようとする課題】
しかし、前記特開平３−９０７４５号においては、断水が報知されるのみであるため、給水源の圧力が所定の圧力以上の状況下では何も報知されないため過度に洗浄水が供給され洗浄水を無駄に使用したり、便器装置が破損する恐れがある。また、断水状態を検知した場合、それ以降のシステム、制御及び便器装置の動作、対応については言及されていない。
【０００４】
そこで、本発明の目的は便器装置を取り付ける環境の給水源の圧力が所定の範囲外であっても洗浄水を無駄に使用することがなく、便器装置を破損せず安全に使用できる便器装置を提供するものである。
【０００５】
【課題を解決するための手段および作用】
請求項１に記載の本発明の便器装置は、給水源の圧力を利用して便器を洗浄するための洗浄水が供給され、便器への洗浄水の供給経路の洗浄水の流動状態を検知する検出手段と、前記検出手段の検出出力値が所定よりも高い値を検出した場合、洗浄水の流動状態が異常であることを報知する報知手段とを備えたことを特徴とする。
これにより、検出手段の検出出力値が所定よりも高い値を検出した場合、洗浄水の流動状態が異常であることを報知される。
これは、高水圧環境下に設置された場合、過度な水圧によるバルブ・給水管の破損や、それらの信頼性などが危惧されるが、この報知手段により、高水圧状態が報知でき、使用者、施工者、修理者等に注意を喚起するとともに、安全に使用するための次なるアクションを促す警報ともなる。
【０００６】
また、請求項２に記載の本発明の便器装置は、給水源の圧力を利用して便器を洗浄するための洗浄水が供給され、便器への洗浄水の供給経路の洗浄水の流動状態を検知する検出手段と、前記検出手段の検出出力値に基づいて前記便器装置を制御する制御部と、前記便器装置の制御動作を記憶する記憶手段とを備えたことを特徴とする。
これにより、便器装置の制御動作を記憶できるとともに、流動状態や１サイクルごとの水圧状況を記憶することも可能となる。よって、便器装置が想定以外の環境下に設置された場合や、便器装置の流動状態が異常の場合等でも便器装置を安全に使用するための制御動作の対応が可能となる。
【０００７】
本発明の好ましい態様としては、請求項２記載の便器装置において、前記検出手段の検出出力値が所定の範囲外を検出した場合、前記記憶手段に記憶した制御動作に基づいて前記制御部により制御するようにする。
そうすることにより、検出手段が不具合を起こした場合や、異常を起こした場合でも、記憶手段で記憶した制御動作で便器装置を動作させることが可能となり、便器装置の使用を停止することなしに継続して使用することが可能となる。
【０００８】
また、本発明の好ましい態様としては、請求項２記載の便器装置において、前記検出手段の検出出力値が所定の範囲外を検出した場合、前記記憶手段に予め設定記憶した制御動作に基づいて前記制御部により制御する。
そうすることにより、検出手段が不具合を起こした場合や、異常を起こした場合でも、予め設定した制御動作で便器装置を動作させることが可能となり、便器装置の使用を停止することなしに、継続して使用することが可能となる。
【０００９】
また、本発明の好ましい態様としては、請求項２記載の便器装置において、前記検出手段の検出出力値が所定の範囲外を検出した場合、洗浄を停止するようにする。
これは、検出手段の検出出力値が所定の範囲外を示している場合は、検出手段が壊れていたり、異常を起こしている場合、あるいは、バルブ・給水管が破損している場合等が想定でき、それにより洗浄水量が過度となることや、破損個所からの漏水などの拡大被害も考えられるため、安全のため洗浄を停止するものである。
【００１０】
また、本発明の好ましい態様としては、請求項２記載の便器装置において、前記検出手段の検出出力値が所定よりも高い値を検出した場合、洗浄水の流動状態が異常であることを報知する報知手段を備えるようにする。
そうすることにより、検出手段の検出出力値が所定よりも高い値を検出した場合、洗浄水の流動状態が異常であることを報知される。
これは、高水圧環境下に設置された場合、過度な水圧によるバルブ・給水管の破損や、それらの信頼性などが危惧されるが、この報知手段により、高水圧状態が報知でき、使用者、施工者、修理者等に注意を喚起するとともに、安全に使用するための次なるアクションを促す警報ともなる。
【００１１】
【発明の実施の形態】
以下、本発明の実施形態を図に基づいて説明する。
第１図は、本発明に係る便器洗浄装置を備えた便器の縦断面図である。第１図において１は、サイホンジェット式の便器であり、便器１はボウル部２とトラップ排水路３を備える。トラップ排水路３は、ボウル部２の後壁下部に開設した流入口４と、便器１の後部底面に開設した流出口５とを略逆Ｕ字状に屈曲して連絡している。本実施例に係る便器１は、ボウル部２の上端周縁のリム部６に、リム通水路７をボウル部２の内方に突出するように環状に形成し、このリム通水路７の底面に射水口８を適宜間隔毎にボウル部２に対して開設する。また、リム通水路７は後部においてリム給水室９に連絡する。ボウル部２の底部のジェット用ノズル取付孔にジェット用ノズル１０をパッキンあるいは接着剤等を介して水密状態で取着しており、ジェット用ノズル１０のジェット噴射孔１０ａはトラップ排水路３の流入口４から堰部に至る上傾管路の略中央を指向している。ジェット用ノズル１０は、金属あるいは合成樹脂等で形成されており、本実施例ではジェット用ノズル１０の形状を鉤状としている。
【００１２】
便器１の後方上部に収納室１１を設け、この収納室１１内に便器洗浄装置（以下洗浄装置と記す）１２を収納する。
【００１３】
ここで収納室１１は、陶器で略一体的に形成しても良いし、同材質、あるいは異材質のボックス状のもので囲んでも良い。
【００１４】
洗浄装置１２は、給水制御手段である制御装置１３と、制御装置１３へ洗浄起動入力および洗浄水量を指示する大洗浄用スイッチ１４ａ、小洗浄用スイッチ１４ｂと使用者または施工者に注意や不具合を知らしめる報知手段１４ｃが組み込まれた操作部１４と、洗浄水の瞬間流量を給水源の圧力にかかわらず、所定の流量に制御する定流量弁１５と、洗浄水を供給または、停止させる開閉弁１６と給水経路中の洗浄水の圧力を検出する圧力センサ１８、及び大気開放弁１７，１９とからなる。
上記の定流量弁１５の代わりに、調圧弁や減圧弁を使用しても良い。また、圧力センサ１８の代わりに流量センサを使用しても良い。
【００１５】
開閉弁１６の上流に定流量弁１５を配置し、その定流量弁１５の一端は給水管２２に接続、開閉弁１６の下流に圧力センサ１８を配置し、その下流の一方の流出口は、リム用通水路７に設けられた大気開放弁１７を介してリム給水室９の給水口９ａへ接続する。他方の流出口は、大気開放弁１９を介して金属・樹脂・ビニールあるいはゴム製のジェット用導水管２０を介してジェット用ノズル１０のジェット用給水口１０ｂへ接続する。このジェット用導水管２０は洗浄装置１２とジェット用ノズル１０を直接接続するもので、ジェット用導水管２０の長さが短くなるようボウル部２の後部下面に沿って配設し、ジェット用導水管２０の他端を、ジェット用ノズル１０のジェット給水口１０ｂへ接続する。
【００１６】
図２において、制御装置１３は、入力インタフェース１３ａ、マイクロプロセッサ（ＭＰＵ）１３ｂ、メモリ１３ｃ、タイマ１３ｄ、出力インタフェース１３ｅから構成され、入力インタフェース１３ａには、大洗浄用スイッチ１４ａ、小洗浄用スイッチ１４ｂ、および圧力センサ１８が接続され、開閉弁１６と報知手段１４ｃが接続されている。ここで、報知手段１４ｃの配置は、操作部内ではなく、便器を構成している何処にでも一体的に配置しても良く、また、便器外に設置するワイヤード型、あるいはワイヤレスリモコンのリモコン表示部内等に構成しても良い。また、報知手段１４ｃは、ＬＥＤ、液晶モニタ、音声、ブザー等でも良い。
【００１７】
圧力センサ１８の代わりに、半導体圧力センサ、超音波センサ、マイクロ波センサ、電磁流量計、渦流量計、羽根車式流量計等を用いても良い。この圧力センサ１８の流量検出部は、その検出値に応じた電圧信号を出力する。流量検出信号線１８ａにより入力インタフェース１３ａに入力された検出信号は、入力インタフェース１３ａ内で波形変換され、検出信号の周波数に比例した所定の振幅、および所定のパルス幅のパルス信号に変換されて、マイクロプロセッサ１３ｂに入力される。
【００１８】
ここで報知手段１４ｃは、便器１の洗浄を開始させるため、大便洗浄用スイッチ１４ａ、小便洗浄用スイッチ１４ｂが押された後に、圧力センサ１８で検出された検出値に基づき、起動することとなる。例えば洗浄開始後、圧力センサ１８により検出された検出値とメモリ１３ｃ内に設定されている定格出力値と比較し、その比較の結果、圧力センサ１８の検出値の方が大きい場合、出力インタフェース１３ｅ、報知制御線１４ｄを介して、報知手段１４ｃにて、使用者、施工者、修理者等に報知することとなる。これにより、使用に際しての注意を喚起するとともに、安全に使用するための次なる方策を促す警報とも成り得る。
【００１９】
例えば、報知手段１４ｃにより報知された場合、使用者、施工者、修理者は、水圧が異常であることを認識し、止水栓を絞り、止水させたり、また、絞りを調節し、流量を調整したり、給水管路に減圧作用のある減圧弁等を挿入したり、ある適正な状態に調節する動作を促すことが可能となる。
【００２０】
また、圧力センサが不具合を起こした時も同様な方法、原理で、使用者、施工者、修理者に不具合を報知する報知手段が存在すれば、上述と同様のメリットがあると思われる。
【００２１】
次に、制御装置について説明する。本実施例の動作を第３図のフローチャートを参照して説明する。なお、第３図のフローチャートにおいて、Ｓ１〜Ｓ７はフローチャートの各ステップを示す。
【００２２】
操作部１４からの起動信号により、制御装置１３は、開閉弁１６を開状態とし（Ｓ１）、便器１のボウル部２、およびジェット孔に、定流量弁により定量吐水された洗浄水を供給する（Ｓ２）。定流量弁により定量吐水することにより、安定したボウル部洗浄、サイホン力を確保できるため、汚物排出に関しても安定した性能を保つことができる。このとき圧力センサ１８の検知信号に基づいて、その電圧信号をマイクロプロセッサ１３ｂは計測し（Ｓ３）、その計測値から、ある想定範囲内の流量あるいは、圧力が得られているか判定する（Ｓ４）。
【００２３】
判定結果より、想定範囲内の流量あるいは、圧力が得られている場合は、通常の洗浄動作を開始し、１サイクルの洗浄を完了する（Ｓ５）。
【００２４】
Ｓ４の判定結果より、想定範囲内の流量あるいは、圧力が得られていない場合は、使用者、施工者、修理者へ報知するために、報知手段の動作を開始する（Ｓ６）。
【００２５】
その後はある実施例として、これ以前にメモリ１３ｃ内に記憶された洗浄動作に従い、洗浄を開始し、１サイクルの洗浄を完了する。
【００２６】
また、その他の実施例として、前もってメモリ１３ｃ内に設定した定型の洗浄動作に従い、洗浄を開始し、１サイクルの洗浄を完了させても良い。
【００２７】
また、その他の実施例として、想定範囲内の流量あるいは、圧力が得られていない場合は、洗浄動作を停止するよう設定しても良い（Ｓ７）。
【００２８】
次に第４図に他の実施例である便器洗浄装置を備えた便器の縦断面図を示す。第１図に係る便器との相違は、開閉弁１６の下流側に切替弁２３を有するところである。洗浄装置１２は、給水制御手段である制御装置１３と、大洗浄用スイッチ１４ａ，小洗浄用スイッチ１４ｂを備えて、制御装置１３へ洗浄水量の選択入力と同時に洗浄起動入力を与えるための入力手段である操作部１４と、洗浄水の給水量を制御する定流量弁１５、開閉弁１６、給水室の給水圧力あるいは、流量を測定する圧力センサ１８、この検出手段の下流に設けられるトラップ部とボウル部への給水を切替える切替弁２３、及び大気開放弁１７，１９とからなる。
【００２９】
また、便器１の洗浄を開始させるため、大洗浄用スイッチ１４ａ、小洗浄用スイッチ１４ｂが押された後に、圧力センサ１８で検出された検出値に基づいて起動する報知手段１４ｃが操作部１４内に構成されている。
【００３０】
洗浄装置１２の各構成、すなわち、定流量弁１５、開閉弁１６、圧力センサ１８、切替弁２３等は、一体的に構成されても、各構成を給水管などで接続して、同様の構成としても良い。　切替弁２３の流出口は、リム用給水路７に設けられた大気開放弁１７を介してリム給水室９の給水口９ａへ接続する。切替弁２３の他方の流出口は、大気開放弁１９を介して金属・樹脂・ビニールあるいはゴム製のジェット用導水管２０を介してジェット用ノズル１０のジェット用給水口１０ｂへ接続する。
【００３１】
第５図は、制御装置のブロック構成図である。
制御装置１３は、入力インタフェース１３ａ、マイクロプロセッサ（ＭＰＵ）１３ｂ、メモリ１３ｃ、タイマ１３ｄ、出力インタフェース１３ｅから構成され、入力インタフェース１３ａには、操作部１４および圧力センサ１８が接続され、出力インタフェース１３ｅには、給水制御線１６ａを介して切替弁２３、給水用弁機構１６が接続されるとともに、報知制御線１４ｄを介して、操作部１４内にある報知手段１４ｃに接続される。　操作部１４は、便器１の洗浄を開始させるため大洗浄用スイッチ１４ａ、小洗浄用スイッチ１４ｂのスイッチを備えており、このスイッチの開閉は起動信号線により制御装置１３へ入力される。　なお、操作部１４には、洗浄水の供給量を選択できるよう複数の操作ボタンを設けてもよい。また、着座を検出するスイッチあるいはセンサ等を設け、これらの信号を制御信号１３に入力して、着座状態のみ操作部１４の操作を有効としたり、あるいは、着座状態から未着座状態となったのち、所定時間後に自動的に洗浄を開始させる構成であってもよい。
【００３２】
検出手段の形態、動作については、第１図に係る便器で説明したものと同様である。
【００３３】
本実施例に係る動作は、第６図のフローチャートを参照して説明する。　なお、第６図のフローチャートにおいて、Ｓ１〜Ｓ８はフローチャートの各ステップを示す。
【００３４】
操作部１４からの起動信号により、制御装置１３は、弁機構を開状態とし（Ｓ１）、便器１のボウル部２に、定流量弁により定量吐水された洗浄水を供給する（Ｓ２）。定流量弁により定量吐水することにより、安定したボウル部洗浄、サイホン力を確保できるため、汚物排出に関しても安定した性能を保つことができる。この段階で圧力センサ１８は、その検知信号に基づいて、その電圧信号をマイクロプロセッサ１３ｂで計測して、切替弁２３の切替のタイミングを決定することとなる。これらの給水時間は、その都度、検知信号の計測値からマイクロプロセッサ１３ｂにて計算し、目標の給水量となるよう、各フェーズの給水時間を決定しても良いし、前もってメモリ１３ｃ内に設定されている計測値と切り替え時間の相関テーブルから択一的に選択することにより定められても良い。かかる給水時間はタイマ１３ｄにより計数され、当該時間経過後、制御装置１３は、出力インタフェース１３ｅを介して、切替弁２３を駆動して給水をリムからジェット用ノズルへ切替え、サイホンのための給水を行うこととなる。
【００３５】
本便器のサイホン作用は、ジェット用ノズル１０より洗浄水がトラップ排水路４に噴出され、噴出された洗浄水が排水路４内に充満するとともに、排水路４内の空気をまきこみながら流出口５から排出する。この排水過程で排水路４内に負圧が発生し、この負圧により、ボウル部２の溜り水２１は、トラップ排水路４の堰部を越えて流出口５側に呼び込まれ、さらに負圧が増大するため、ジェット噴水から短時間でサイホン作用が発生する。
【００３６】
ジェット用ノズル１０から噴出する洗浄水の給水時間は、前述と同様、圧力センサ１８の検知信号の計測値に従い定められ、かかる給水時間の経過後、制御装置１３は切替弁２３を再度リム側に切替える。（Ｓ３、Ｓ４、Ｓ５）
【００３７】
そして制御装置１３は、ステップＳ５でリム側を開状態にした後、定められた封水のための給水時間経過後、開閉弁１６を閉状態に駆動する。（Ｓ６）
【００３８】
これが、Ｓ４にて想定値を満足した場合のＳ１〜Ｓ６の洗浄動作である。
【００３９】
また、Ｓ４に記載するリム−ジェット−リムの各フェーズにおいて、いずれかのフェーズで、想定範囲内の流量あるいは、圧力が得られていない場合は、使用者、施工者、修理者へ報知するために、報知手段の動作を開始する。（Ｓ７）
【００４０】
その報知手段を起動した後の便器の動作形態は、第３図で説明したのと同様、これより以前にメモリ１３ｃ内に記憶、設定された洗浄動作に従い、洗浄を開始、完了しても良いし、前もってメモリ１３ｃ内に設定した定型の洗浄動作に従い、洗浄を開始、完了させても良いし、想定範囲内の流量あるいは、圧力が得られていない場合は、洗浄動作を停止するよう設定しても良い。（Ｓ８）
なお、本実施例は、開閉弁と切替弁を用いた構成としたが、開閉弁を二つ並べる構成としてもよい。
【００４１】
第７図は、第４図に示す便器のタイムチャートである。
【００４２】
第８図は、正常状態の動作状況、および、圧力センサが異常値を示した場合の動作状況を表すブロック図である。
【００４３】
第１図、第４図に示す便器図において、便器洗浄装置は、定流量弁により、一定量の流量制御を行うものであり、その状況下での圧力センサの役割としては、水量が多い、あるいは、少ない等、現在の吐水状態の流量をセンシングするものである。すなわち、この場合の圧力センサとして、便器洗浄性能に支障をきたす流量で使用された場合に、使用者等に報知して、次なる行動を促す目的と、流量をセンシングして、一回の使用水量が所定の水量になるように、洗浄時間を制御するためのセンサとしての使用目的となる。
【００４４】
よって、制御を介して、圧力センサの値により、流量を検知し、フィードバックしながら、主弁の開度を決定する流量調節式の便器洗浄装置等に使用される場合とは異なり、圧力センサの回路的な不具合や、誤って不具合品を組み付けて出荷した場合においても、圧力センサ単体の不具合であれば、定流量弁の定流量機能、制御装置との組み合わせにより、装置の駆動および便器の洗浄自体は可能である。
【００４５】
それらのシステムについて第８図のブロック図に基づいて説明する。
【００４６】
第８図において、制御装置１３は、入力インタフェース１３ａ、マイクロプロセッサ（ＭＰＵ）１３ｂ、メモリ１３ｃ、タイマ１３ｄ、出力インタフェース１３ｅから構成され、入力インタフェース１３ａには、操作部１４および圧力センサ１８が接続され、出力インタフェース１３ｅには、給水制御線１６ａを介して給水用弁機構１６が接続されるとともに、報知制御線１４ｄを介して、操作部１４内にある報知手段１４ｃに接続される。　操作部１４は、便器１の洗浄を開始させるため大洗浄用スイッチ１４ａ、小洗浄用スイッチ１４ｂのスイッチを備えており、このスイッチの開閉は起動信号線により制御装置１３へ入力される。
【００４７】
ここでメモリ１３ｃの▲１▼の動作について説明する。
【００４８】
▲１▼は、便器の洗浄を開始させるため、大便洗浄用スイッチ１４ａ、あるいは、小便洗浄用スイッチ１４ｂが押されると、洗浄を開始する。そのとき、圧力センサ１８で水圧を検知し、この値が、予め想定される水圧の範囲内であれば、図中のＡの場合に従い、通常のシーケンスにて洗浄を行う。その場合、メモリ１３ｃ内には直前のシーケンスを記憶する。
【００４９】
ここで、次回の洗浄の際に、圧力センサ１８の値が明らかに想定される水圧の範囲外、あるいは、出力電圧０ｖなどを示した場合、圧力センサの異常が考えうる。
【００５０】
その場合は、直前の洗浄のシーケンス情報をメモリ１３ｃから取り出し、そのシーケンスにて洗浄を行う。これにより、圧力センサ単体の故障、不具合であっても、洗浄停止することなしに、便器の使用が可能となる。ただしこのとき、圧力センサ自体の故障を使用者や、メンテ者に知らせる必要があるため、このモードの間は、報知手段により、報知する。これにより、圧力センサの取替え、メンテを促すこととなる。
【００５１】
次に▲２▼について、▲１▼との相違点は、初回洗浄のシーケンスのみをメモリ１３ｃに記憶しておくことである。これにより、メモリ１３ｃ内に取り込むデータ容量が抑制でき、また、データを取り込む制御が簡素化されるメリットがある。
【００５２】
▲３▼の効果についても▲２▼と同様で、データ容量の抑制や、制御の簡素化のメリットがあるが、それと合わせて、より現在の環境と近い状態で便器洗浄動作ができるため、便器洗浄の信頼性という面でより安全な動作が可能になる。
【００５３】
第９図は、第８図同様、正常状態の動作状況、および、圧力センサが異常値を示した場合の動作状況を表すブロック図であるが、第８図との相違点は、圧力センサが異常値を示した場合、予めメモリ１３ｃ内に設定しておいた定型のマスターシーケンスで洗浄を行う点である。これにより、圧力センサ単体の故障、不具合時にも、洗浄停止することなしに、便器の使用が可能となる。
【００５４】
第１０図は、第８図同様、正常状態の動作状況、および、圧力センサが異常値を示した場合の動作状況を表すブロック図であるが、第８図との相違点は、圧力センサが異常値を示した場合、給水用弁機構１６に洗浄停止命令を行う点である。この制御は、圧力センサの異常時は、洗浄停止することによって、即座にメンテを促すためのもので、使用者にとってより安全側の制御となっている。
【００５５】
【発明の効果】
以上説明したように、本発明の便器は、高水圧環境下に設置された場合等、過度な水圧によるバルブ・給水管の破損や、それらの信頼性などを回避するために、高水圧状態を報知し、使用者、施工者、修理者等に注意を喚起するとともに、安全に使用するための次なるアクションを促すことが可能となる。
【００５６】
また、本発明の便器は検出手段の不具合や、異常を起こした場合でも、記憶手段で記憶した制御状態で動作させることが可能となり、製品の使用を停止することなしに、継続して使用することが可能となる。
【００５７】
また、本発明の便器は、検出手段の不具合や、異常を起こした場合でも、予め設定した制御状態で動作させることが可能となり、製品の使用を停止することなしに、継続して使用することが可能となる。
【００５８】
また、本発明の便器は、検出手段の検出出力値が所定の範囲外を示している場合、より安全性を考慮して、洗浄自体を停止するものである。
【図面の簡単な説明】
【図１】本発明に係る便器洗浄装置を備えたサイホン式便器の縦断面図。
【図２】本発明に係る洗浄装置のブロック構成図である。
【図３】本発明に係る洗浄装置のフローチャートである。
【図４】本発明の別実施例に係る便器洗浄装置を備えたサイホン式便器の縦断面図。
【図５】本発明の別実施例に係る洗浄装置のブロック構成図である。
【図６】本発明の別実施例に係る洗浄装置のフローチャートである。
【図７】本発明の別実施例に係る洗浄装置の動作を示すタイムチャートである。
【図８】本発明に係るセンサの正常時と異常時の動作状況のブロック構成図である。
【図９】本発明の別実施例に係るセンサの正常時と異常時の動作状況のブロック構成図である。
【図１０】本発明の別実施例に係るセンサの正常時と異常時の動作状況のブロック構成図である。
【符号の説明】
１…便器
２…ボウル部
３…トラップ排水路
４…流入口
５…流出口
６…リム部
７…リム通水路
８…射水口
９…リム給水室
９ａ…給水口
１０…ジェット用ノズル
１０ａ…ジェット噴射口
１０ｂ…ジェット給水口
１１…収納室
１２…便器洗浄装置
１３…制御装置
１３ａ…入力インタフェース
１３ｂ…マイクロプロセッサ（ＭＰＵ）
１３ｃ…メモリ
１３ｄ…タイマ
１３ｅ…出力インタフェース
１４…操作部
１４ａ…大洗浄用スイッチ
１４ｂ…小洗浄用スイッチ
１４ｃ…報知手段
１４ｄ…報知制御線
１５…定流量弁
１６…開閉弁
１６ａ…給水制御線
１７…大気開放弁
１８…圧力センサ
１８ａ…流量検出信号線
１９…大気開放弁
２０…ジェット用導水管
２１…溜り水
２２…給水管
２３…切替弁
【図１】
2004027530.tif 000003
【図２】
2004027530.tif 000004
【図３】
2004027530.tif 000005
【図４】
2004027530.tif 000006
【図５】
2004027530.tif 000007
【図６】
2004027530.tif 000008
【図７】
2004027530.tif 000009
【図８】
2004027530.tif 000010
【図９】
2004027530.tif 000011
【図１０】
2004027530.tif 000012